(57)【要約】【課題】環境活動を行った際の入力が容易であり、環境活動に対する効果を容易に把握することが可能な環境活動集計装置、環境活動集計プログラムおよび環境活動集計方法の提供。【解決手段】環境活動の実施項目および各実施項目の実施単位当たりの環境活動の効果を記憶する記憶装置２と、環境活動の実施項目の一覧を、実施項目ごとに選択可能に表示する一覧表示手段１１と、環境活動の実施項目の一覧の中から選択された実施項目に対する環境活動の効果を、記憶手段を参照して集計する集計手段１２と、集計した環境活動の効果を表示する効果表示手段１３とを含む環境活動集計装置である。【選択図】図１
2013122668.tif 000002
【特許請求の範囲】
【請求項１】
環境活動の実施項目および各実施項目の実施単位当たりの環境活動の効果を記憶する記憶手段と、
前記環境活動の実施項目の一覧を、実施項目ごとに選択可能に表示する一覧表示手段と、
前記環境活動の実施項目の一覧の中から選択された実施項目に対する環境活動の効果を、前記記憶手段を参照して集計する集計手段と、
前記集計した環境活動の効果を表示する効果表示手段と
を含む環境活動集計装置。
【請求項２】
前記一覧表示手段は、前記実施項目をタッチ入力により選択可能なアイコンとしてタッチパネル上に表示するものである請求項１記載の環境活動集計装置。
【請求項３】
前記記憶手段、一覧表示手段、集計手段および効果表示手段を有する携帯端末と、
前記携帯端末と通信する管理サーバとを有し、
前記携帯端末は、前記集計した環境活動の効果を前記管理サーバへ送信するものであり、
前記管理サーバは、前記携帯端末から送信された環境活動の効果を、前記携帯端末のユーザおよび各ユーザの所属団体ごとに管理するものである
請求項１または２に記載の環境活動集計装置。
【請求項４】
コンピュータを、
環境活動の実施項目および各実施項目の実施単位当たりの環境活動の効果を記憶する記憶手段と、
前記環境活動の実施項目の一覧を、実施項目ごとに選択可能に表示する一覧表示手段と、
前記環境活動の実施項目の一覧の中から選択された実施項目に対する環境活動の効果を、前記記憶手段を参照して集計する集計手段と、
前記集計した環境活動の効果を表示する効果表示手段と
して機能させるための環境活動集計プログラム。
【請求項５】
前記環境活動の実施項目の一覧を、実施項目ごとに選択可能に表示すること、
前記環境活動の実施項目の一覧の中から選択された実施項目に対する環境活動の効果を、環境活動の実施項目および各実施項目の実施単位当たりの環境活動の効果を記憶する記憶手段を参照して集計すること、
前記集計した環境活動の効果を表示すること
を含む環境活動集計方法。
【発明の詳細な説明】
【技術分野】
【０００１】
本発明は、環境活動の実施に対する効果を集計する環境活動集計装置、環境活動集計プログラムおよび環境活動集計方法に関する。
【背景技術】
【０００２】
現在、企業における環境活動（環境保全活動ともいう。）は、会社の取り組みや環境関連の部署による活動が中心であるが、今後は、企業においても個人の環境意識を高める取り組みが求められる。しかしながら、環境活動は、貢献度が把握しにくく、評価が困難であるため、個人の環境意識を高めることは容易ではない。
【０００３】
そこで、例えば、特許文献１には、個人または団体の数値化された社会貢献度を電子空間上で表現する社会貢献度表示システムにおいて、削減したエネルギー消費量、削減した有害物質の排出量などの数値化データをウェブページから入力し、表示することが記載されている。
【先行技術文献】
【特許文献】
【０００４】
【特許文献１】特開２００９−９３５６６号公報
【発明の概要】
【発明が解決しようとする課題】
【０００５】
上記特許文献１に記載のシステムでは、削減したエネルギー消費量、削減した有害物質の排出量などを直接入力するようになっているが、これらの数値化データの算出を個人が行うことは困難であり、また社会貢献を行うたびに行うことは億劫である。また、数値化データの入力をウェブページから行うため、入力の際には常にネットワークに接続されていることが必要になるという問題がある。
【０００６】
そこで、本発明においては、環境活動を行った際の入力が容易であり、環境活動に対する効果を容易に把握することが可能な環境活動集計装置、環境活動集計プログラムおよび環境活動集計方法に関する。
【課題を解決するための手段】
【０００７】
本発明の環境活動集計装置は、環境活動の実施項目および各実施項目の実施単位当たりの環境活動の効果を記憶する記憶手段と、環境活動の実施項目の一覧を、実施項目ごとに選択可能に表示する一覧表示手段と、環境活動の実施項目の一覧の中から選択された実施項目に対する環境活動の効果を、記憶手段を参照して集計する集計手段と、集計した環境活動の効果を表示する効果表示手段とを含むものである。
【０００８】
また、本発明の環境活動集計方法は、環境活動の実施項目の一覧を、実施項目ごとに選択可能に表示すること、環境活動の実施項目の一覧の中から選択された実施項目に対する環境活動の効果を、環境活動の実施項目および各実施項目の実施単位当たりの環境活動の効果を記憶する記憶手段を参照して集計すること、集計した環境活動の効果を表示することを含む。
【０００９】
これらの発明によれば、表示された環境活動の実施項目の一覧の中から、ユーザが実施した環境活動の実施項目について選択すると、この選択された実施項目に対する環境活動の効果が記憶手段を参照して集計され、集計した環境活動の効果が表示される。
【００１０】
ここで、一覧表示手段は、実施項目をタッチ入力により選択可能なアイコンとしてタッチパネル上に表示するものであることが望ましい。これにより、ユーザが実施した環境活動の実施項目についての選択を、タッチパネル上に表示されたアイコンのタッチ入力により容易に行うことが可能となる。
【００１１】
また、本発明の環境活動集計装置は、上記記憶手段、一覧表示手段、集計手段および効果表示手段を有する携帯端末と、携帯端末と通信する管理サーバとを有し、携帯端末は、集計した環境活動の効果を管理サーバへ送信するものであり、管理サーバは、携帯端末から送信された環境活動の効果を、携帯端末のユーザおよび各ユーザの所属団体ごとに管理するものであることが望ましい。複数のユーザの環境活動について、各ユーザの所属団体ごとに管理することが可能となる。
【００１２】
また、本発明の環境活動集計プログラムは、コンピュータを、環境活動の実施項目および各実施項目の実施単位当たりの環境活動の効果を記憶する記憶手段と、環境活動の実施項目の一覧を、実施項目ごとに選択可能に表示する一覧表示手段と、環境活動の実施項目の一覧の中から選択された実施項目に対する環境活動の効果を、記憶手段を参照して集計する集計手段と、集計した環境活動の効果を表示する効果表示手段として機能させるためのものである。このプログラムを実行したコンピュータによれば、上記本発明の環境活動集計装置と同様の作用、効果を奏することができる。なお、本発明に係るコンピュータには、パーソナルコンピュータの他、携帯端末としてのＰＤＡ（個人情報端末）、ポケットコンピュータ、携帯電話機やスマートフォン（多機能型携帯電話機）などが含まれる。
【発明の効果】
【００１３】
（１）環境活動の実施項目の一覧を、実施項目ごとに選択可能に表示し、環境活動の実施項目の一覧の中から選択された実施項目に対する環境活動の効果を集計し、集計した環境活動の効果を表示する構成により、環境活動を行った際の入力が容易となり、環境活動に対する効果を容易に把握することが可能となる。
【００１４】
（２）実施項目をタッチ入力により選択可能なアイコンとしてタッチパネル上に表示する構成により、ユーザが実施した環境活動の実施項目についての選択を、タッチパネル上に表示されたアイコンのタッチ入力により容易に行うことが可能となる。
【００１５】
（３）記憶手段、一覧表示手段、集計手段および効果表示手段を有する携帯端末と、携帯端末と通信する管理サーバとを有し、携帯端末が、集計した環境活動の効果を管理サーバへ送信するものであり、管理サーバが、携帯端末から送信された環境活動の効果を、携帯端末のユーザおよび各ユーザの所属団体ごとに管理するものであることにより、複数のユーザの環境活動について、各ユーザの所属団体ごとに容易に管理することが可能となる。
【図面の簡単な説明】
【００１６】
【図１】本発明の実施の形態における環境活動集計装置の構成を示すブロック図である。
【図２】タッチパネル上に表示される環境活動集計プログラムのアイコンの例を示す図である。
【図３】タッチパネル上に表示される環境活動の実施項目の一覧の例を示す図である。
【図４】管理メニュー表示画面の例を示す図である。
【図５】各実施項目と、各実施項目の実施単位当たりの環境活動の効果とを一覧表示した例を示す図である。
【図６】環境活動の実施項目の登録画面の例を示す図である。
【図７】効果表示画面の例を示す図である。
【図８】本発明の実施の形態における環境活動集計装置の別の構成を示すブロック図である。
【図９】会社マスタの管理画面の例を示す図である。
【図１０】会社情報の登録画面の例を示す図である。
【図１１】グループマスタの管理画面の例を示す図である。
【図１２】グループ情報の登録画面の例を示す図である。
【図１３】ユーザマスタの管理画面の例を示す図である。
【図１４】ユーザ情報の登録画面の例を示す図である。
【図１５】アイコンマスタの管理画面の例を示す図である。
【図１６】アイコン情報の登録画面の例を示す図である。
【図１７】アイコンの適用範囲設定画面の例を示す図である。
【図１８】環境活動マスタの管理画面の例を示す図である。
【図１９】エコ活動情報の登録画面の例を示す図である。
【図２０】エコ活動の適用範囲設定画面の例を示す図である。
【図２１】帳票出力例を示す図である。
【発明を実施するための形態】
【００１７】
図１は本発明の実施の形態における環境活動集計装置の構成を示すブロック図である。
図１において、本発明の実施の形態における環境活動集計装置は、スマートフォンなどの携帯端末１により構成されており、環境活動集計プログラム等のプログラムやその他のデータを記憶する記憶装置２、記憶装置２に記憶された環境活動集計プログラム等を実行し、各種演算処理等を行う中央処理装置（ＣＰＵ）３や、表示装置兼入力装置としてのタッチパネル４等を有する。
【００１８】
ＣＰＵ３は環境活動集計プログラムの実行により、記憶装置２を環境活動の実施項目および各実施項目の実施単位当たりの環境活動の効果を記憶する記憶手段と、環境活動の実施項目の一覧を、実施項目ごとに選択可能に表示する一覧表示手段１１と、環境活動の実施項目の一覧の中から選択された実施項目に対する環境活動の効果を、記憶装置２を参照して集計する集計手段１２と、集計した環境活動の効果を表示する効果表示手段１３として機能する。
【００１９】
環境活動集計プログラムは、携帯端末１上で実行されるアプリケーションの１つであり、図２に示すようにタッチパネル４上に表示された環境活動集計プログラムのアイコン２０をユーザがタッチすると、ＣＰＵ３により環境活動集計プログラムが実行される。図３は環境活動集計プログラムの実行後、一覧表示手段１１によりタッチパネル４上に表示される環境活動の実施項目の一覧を示している。図３に示す例では、実施項目として、「ビニール袋」「マイ箸」「ペットボトル」「自転車」「公共交通機関」「電源ＯＦＦ」「リサイクル」「アイドリングストップ」のそれぞれのアイコン２１〜２８が表示されている。これらのアイコン２１〜２８は、ユーザがタッチパネル４上でタッチ入力することにより選択可能となっている。
【００２０】
これらの実施項目は、各実施項目の実施単位当たりの環境活動の効果とともに記憶装置２に記憶されている。図４は携帯端末１の管理メニュー表示画面の例を示している。記憶装置２への各実施項目等の登録は、この管理メニュー表示画面の「環境活動メンテ」ボタン３０をタッチすることにより行う。図５は各実施項目と、各実施項目の実施単位当たりの環境活動の効果とを一覧表示した例を示している。図５に示すように、記憶装置２には、各実施項目のアイコン２１〜２８および項目名２１ａと、各実施項目の１実施単位当たりの環境活動の効果としてのＣＯ2削減量２１ｂが登録されている。これらの登録は、図６に示す登録画面からタッチパネル４を操作して、環境活動の実施項目名４０、１実施単位当たりのＣＯ2削減量４１および説明４２を入力することにより行うことができる。
【００２１】
集計手段１２は、図３に示す「ビニール袋」「マイ箸」「ペットボトル」「自転車」「公共交通機関」「電源ＯＦＦ」「リサイクル」「アイドリングストップ」の実施項目のアイコン２１〜２８のいずれかがユーザによってタッチ入力により選択されると、記憶装置２に登録された各実施項目の１実施単位当たりのＣＯ2削減量に基づいて、選択された実施項目に対する環境活動の効果を記憶装置２に記憶する。すなわち、集計手段１２は、各実施項目のアイコン２１〜２８がタッチされる毎に、各実施項目の１実施単位当たりのＣＯ2削減量を記憶装置２に記憶することで各実施項目に対する環境活動の効果を集計する。
【００２２】
効果表示手段１３は、記憶装置２に集計された環境活動の効果をタッチパネル４上に表示する。図７は効果表示手段１３により表示される効果表示画面の例を示している。図７に示す効果表示画面は、図４の管理メニュー表示画面の「環境活動履歴」ボタン３１をタッチすることにより表示される。図７に示すように、この効果表示画面では、記憶装置２に記憶された環境活動の効果が月単位のＣＯ2削減量の合計値４３として表示されるとともに、環境活動の各実施項目の履歴４４が表示される。
【００２３】
上記構成の携帯端末１では、一覧表示手段１１によりタッチパネル４上に表示された環境活動の実施項目の一覧の中から、ユーザが実施した環境活動の実施項目についてタッチ入力により選択すると、この選択された実施項目に対する環境活動の効果が記憶装置２を参照して集計され、集計した環境活動の効果が図７に示すように表示される。これにより、環境活動を行った際の入力が容易となり、環境活動に対する効果を容易に把握することが可能となる。
【００２４】
特に、この携帯端末１では、実施項目をタッチ入力により選択可能なアイコン２１〜２８としてタッチパネル４上に表示するので、ユーザが実施した環境活動の実施項目についての選択を、タッチパネル４上に表示されたアイコンのタッチ入力により容易に行うことが可能である。
【００２５】
次に、本発明の実施の形態における環境活動集計装置の別の構成について説明する。図８は本発明の実施の形態における環境活動集計装置の別の構成を示すブロック図である。なお、図８において図１と共通する構成部分については同一符号を付し、その詳細な説明を省略する。
【００２６】
図８に示す環境活動集計装置は、携帯端末１ａと、この携帯端末１ａと通信する管理サーバ５とから構成される。携帯端末１ａは、前述の携帯端末１の構成に加えて、管理サーバ５と通信するための通信手段１４を備えている。管理サーバ５は、携帯端末１ａ等と通信する通信手段１５と、携帯端末１ａから送信された環境活動の効果を、携帯端末１ａのユーザおよび各ユーザの所属団体ごとに管理する管理手段１６と、各種マスタや各ユーザの環境活動の履歴などを記憶する記憶手段１７とを有する。
【００２７】
記憶手段１７には、各種マスタとして、会社マスタ、グループマスタ、ユーザマスタ、アイコンマスタや環境活動マスタ等が記憶される。この記憶手段１７への各種マスタの登録は、コンピュータ６により管理サーバ５と通信することにより行うことが可能となっている。システム管理者または各ユーザの所属する会社の管理者が、コンピュータ６から管理サーバ５へ接続すると、管理サーバ５は、管理者の権限に応じてコンピュータ６に対し、図９〜図２０の管理画面を提供する。
【００２８】
会社マスタには、各ユーザが所属する団体としての会社の名称およびその住所や電話番号等の会社情報が登録される。図９は会社マスタの管理画面の例を示している。この管理画面では、会社名、住所または電話番号の組み合わせにより検索して登録済みの会社情報の一覧表示と、会社情報の追加、編集または削除を行うことが可能となっている。図１０は会社情報の登録画面の例を示している。
【００２９】
グループマスタには、各ユーザが所属する団体としてのグループ（部門）のコードおよび名称やそのグループが所属する団体としての会社の名称等のグループ情報が登録される。図１１はグループマスタの管理画面の例を示している。この管理画面では、会社名、部門コードまたは部門名の組み合わせにより検索して登録済みのグループ情報（部門情報）の一覧表示と、グループ情報（部門情報）の追加、編集または削除を行うことが可能となっている。図１２はグループ情報（部門情報）の登録画面の例を示している。
【００３０】
ユーザマスタには、各ユーザが所属する団体としての会社、グループ、ユーザコード（ユーザＩＤ）、ユーザ名、メールアドレス、パスワード、メールアドレスや権限等のユーザ情報が登録される。図１３はユーザマスタの管理画面の例を示している。この管理画面では、会社名、部門名、ユーザコード、ユーザ名または権限の組み合わせにより検索して登録済みのユーザ情報の一覧表示と、ユーザ情報の追加、編集または削除を行うことが可能となっている。図１４はユーザ情報の登録画面の例を示している。
【００３１】
アイコンマスタには、アイコン画像データ等のアイコン情報が登録される。図１５はアイコンマスタの管理画面の例を示している。この管理画面では、アイコンの適用範囲、適用対象ＩＤ、適用対象またはアイコン名の組み合わせにより検索して登録済みのアイコン情報の一覧表示と、アイコン情報の追加、編集または削除を行うことが可能となっている。図１６はアイコン情報の登録画面の例を示している。図１６に示すアイコン情報の登録画面では、アイコンの名称およびアイコン画像データのファイルを指定して登録することができる。図１７はアイコンの適用範囲設定画面の例を示している。このアイコンの適用範囲設定画面では、各アイコンの適用範囲情報の追加または削除を行うことが可能となっている。アイコンの適用範囲とは、各アイコンを利用可能な範囲を示すものであり、例えば、システム管理者、会社管理者、グループ管理者やユーザなどの中から選択することが可能である。
【００３２】
環境活動マスタには、アイコン、環境活動名、説明やＣＯ2削減量（グラム）等の環境活動情報（エコ活動情報）が登録される。図１８は環境活動マスタの管理画面の例を示している。この管理画面では、環境活動（エコ活動）の適用範囲、エコ活動コードまたはエコ活動名の組み合わせにより検索して登録済みの環境活動情報（エコ活動情報）の一覧表示と、環境活動情報（エコ活動情報）の追加、編集または削除を行うことが可能となっている。図１９はエコ活動情報の登録画面の例を示している。図１９に示すエコ活動情報の登録画面では、アイコンに対してエコ活動名、ＣＯ2削減量（グラム）および説明を登録することができる。図２０はエコ活動の適用範囲設定画面の例を示している。このエコ活動の適用範囲設定画面では、各エコ活動の適用範囲情報の追加または削除を行うことが可能となっている。エコ活動の適用範囲とは、各エコ活動を利用可能な範囲を示すものであり、例えば、システム管理者、会社管理者、グループ管理者やユーザなどの中から選択することが可能である。
【００３３】
上記構成の環境活動集計装置では、携帯端末１ａで集計した環境活動の効果を通信手段１４により管理サーバ５へ送信する。携帯端末１ａでは、予め、図４に示す管理メニュー表示画面の「アカウント情報」ボタン３２をタッチすることにより、ユーザＩＤおよびパスワードを入力しておく。そして、図４に示す管理メニュー表示画面の「同期」ボタン３３をタッチすると、携帯端末１ａから管理サーバ５へ環境活動の効果が送信される。
【００３４】
一方、管理サーバ５では、通信手段１５によりこの送信された環境活動の効果を受信し、管理手段１６により記憶手段１７へ各ユーザの環境活動の履歴として登録する。このとき、携帯端末１ａのユーザは、上記携帯端末１ａに予め入力されたユーザＩＤおよびパスワードを記憶手段１７のユーザマスタの内容と照合することにより認証し、該当するユーザの環境活動の履歴として登録する。
【００３５】
また、この「同期」ボタン３３では、携帯端末１ａにおいて前述のように記憶装置２へ登録した各実施項目等を管理サーバ５へ送信し、管理サーバ５の環境活動マスタへ登録して同期することが可能となっている。さらに、この「同期」ボタン３３では、管理サーバ５において前述のように記憶手段１７へ登録した環境活動マスタの内容を、管理サーバ５から携帯端末１ａへ取得し、記憶装置２へ登録して同期することも可能となっている。なお、ここで同期する環境活動マスタは、前述のユーザＩＤおよびパスワードによって認証されたユーザが所属する会社やグループの範囲に限定することも可能である。
【００３６】
また、本実施形態における環境活動集計装置では、コンピュータ６から管理サーバ５へ接続して、管理サーバ５の記憶手段１７に登録された各ユーザの環境活動の効果を、携帯端末１ａのユーザや各ユーザの所属団体ごとに集計し、帳票出力することが可能となっている。図２１は帳票出力例を示している。コンピュータ６から管理サーバ５へ接続し、会社、グループや活動年月を抽出条件として指定すると、管理手段１６は指定された抽出条件に基づいて記憶手段１７を検索し、図２１に示すような帳票をコンピュータ６へ出力する。図２１に示す帳票出力例では、グループ名、ユーザ名、環境活動名、説明、ＣＯ2削減量、月ごとの回数合計値、合計のＣＯ2削減量が抽出項目として挙げられている。また、図示しないが、各ユーザの環境活動の結果をグラフ出力することも可能である。
【００３７】
以上のように、この環境活動集計装置では、携帯端末１ａが、集計した環境活動の効果を管理サーバ５へ送信し、管理サーバ５が、携帯端末１ａから送信された環境活動の効果を、携帯端末１ａのユーザおよび各ユーザの所属団体ごとに管理するものであることにより、複数のユーザの環境活動について、各ユーザの所属団体ごとに容易に管理することが可能である。
【産業上の利用可能性】
【００３８】
本発明は、ＣＯ2削減などの環境活動の実施に対する効果を集計する環境活動集計装置、環境活動集計プログラムおよび環境活動集計方法として有用である。
【符号の説明】
【００３９】
１，１ａ  携帯端末
２  記憶装置
３  中央処理装置
４  タッチパネル
５  管理サーバ
６  コンピュータ
１１  一覧表示手段
１２  集計手段
１３  効果表示手段
１４，１５  通信手段
１６  管理手段
１７  記憶手段
２０〜２８  アイコン
【図１】
2013122668.tif 000003
【図８】
2013122668.tif 000004
【図２１】
2013122668.tif 000005
【図２】
2013122668.tif 000006
【図３】
2013122668.tif 000007
【図４】
2013122668.tif 000008
【図５】
2013122668.tif 000009
【図６】
2013122668.tif 000010
【図７】
2013122668.tif 000011
【図９】
2013122668.tif 000012
【図１０】
2013122668.tif 000013
【図１１】
2013122668.tif 000014
【図１２】
2013122668.tif 000015
【図１３】
2013122668.tif 000016
【図１４】
2013122668.tif 000017
【図１５】
2013122668.tif 000018
【図１６】
2013122668.tif 000019
【図１７】
2013122668.tif 000020
【図１８】
2013122668.tif 000021
【図１９】
2013122668.tif 000022
【図２０】
2013122668.tif 000023